(57)【要約】【課題】外刃の押上げ力を使用者の好みに設定可能にして深剃りや皮膚にヒリヒリ感を発生させるおそれをなくし、使用感を向上させる。【解決手段】モータを内蔵する本体部１０上部に装着される外刃枠１８に略円盤状の外刃１４を保持し、この外刃１４の内側に下方から装填される内刃４０を、モータにより回転駆動される駆動軸２６により外刃１４に向かって弾性をもって押圧しつつ回転駆動する刃ユニット１６を備えるものにおいて、外刃１４が固定され外刃１４と一体に上下動自在かつ揺動自在な揺動ケース４８と、この揺動ケース４８を復帰ばね７０を介して押し上げる可動板９２と、この可動板９２の高さを変える押上げ機構９４とを備え、押上げ機構９４によって可動板９２の高さを変化させることにより外刃１４の押上げ力を制御可能にした。【選択図】図５
2007117190.tif 000002
【特許請求の範囲】
【請求項１】
モータを内蔵する本体部の上部に装着される外刃枠に略円盤状の外刃を保持し、この外刃の内側に下方から装填される内刃を、前記モータにより回転駆動される駆動軸により外刃に向かって弾性をもって押圧しつつ回転駆動する刃ユニットを備えるロータリー式電気かみそりにおいて、
外刃が固定され外刃と一体に上下動自在かつ揺動自在な揺動ケースと、
この揺動ケースを復帰ばねを介して押し上げる可動板と、
この可動板の高さを変える押上げ機構とを備え、前記押上げ機構によって前記可動板の高さを変化させることにより前記外刃の押上げ力を制御可能にしたことを特徴とするロータリー式電気かみそり。
【請求項２】
請求項１に記載のロータリー式電気かみそりにおいて、
前記刃ユニットは、前記外刃枠に保持され前記駆動軸が同軸に貫通する刃受台と、
この刃受台に所定範囲内で上下動可能に保持され前記外刃の下方から上方に向かって開く半球面上に位置するケース支持部を有する刃受板と、
前記刃受板のケース支持部に摺接して任意方向に揺動可能となるように刃受板に保持され前記内刃の下方を囲む略碗状の揺動ケースと、
この揺動ケースの上縁部に着脱可能に固定され前記外刃の外周縁を揺動ケースの上縁部に固定する外刃リングと、
前記刃受台に上下動可能に保持された可動板と前記揺動ケースとの間に縮装され前記揺動ケースを前記駆動軸と同軸位置に復帰させる復帰ばねと、
を備え、前記揺動ケースを前記刃受板のケース支持部に摺動させることにより前記外刃と共に揺動可能にする一方、前記揺動ケースを前記刃受板と共に上下動可能にしたロータリー式電気かみそり。
【請求項３】
刃受板のケース支持部が位置する半球面の中心は、外刃の表面の中心付近に位置する請求項２のロータリー式電気かみそり。
【請求項４】
刃受板は上方に向かって開く半球面にほぼ沿って内径方向へのびる球面板部を持ち、揺動ケースには前記球面板部の下面に内径側から係合する舌状のフックが形成されている請求項２または３のロータリー式電気かみそり。
【請求項５】
刃受板に設けるケース支持部は半球面上に位置する半径方向の円弧に沿うレール状である請求項２〜４のいずれかのロータリー式電気かみそり。
【請求項６】
揺動ケースは刃受板の球面板部の内径側を通り下方へ突出する円筒部を持ち、復帰ばねはこの円筒部の下端と可動板との間に装填された円錐コイルばねである請求項４のロータリー式電気かみそり。
【請求項７】
揺動ケースには、内径側から上方へ突出し先端が鉤状に内径側へ折曲した複数のフックが突設され、これらフックは外刃を揺動ケースから取外した時に内刃のボス部に係合して内刃が揺動ケースから脱落するのを防ぐ請求項２〜６のいずれかのロータリー式電気かみそり。
【請求項８】
外刃枠には複数の刃ユニットが保持され、各刃ユニットの外刃はそれぞれ独立に上下動自在かつ任意方向に揺動自在である請求項１〜７のいずれかのロータリー式電気かみそり。
【請求項９】
複数の外刃に対応する複数の刃受台および複数の可動台はそれぞれ一体に形成されている請求項８のロータリー式電気かみそり。
【請求項１０】
押上げ機構は、可動板を押上げる押上げ部材と、
この押上げ部材の下方に側方から進退動し前記押上げ部材の下面にカム面を介して当接する進退部材と、
この進退部材の進退位置を変化させる操作部材と、
を備えることを特徴とする請求項１のロータリー式電気かみそり。
【請求項１１】
操作部材は外刃枠に回動自在に保持されかつ偏心輪が一体に形成され、進退部材の一端には前記偏心輪を摺動自在に囲む外輪が形成されている請求項１０のロータリー式電気かみそり。
【発明の詳細な説明】
【技術分野】
【０００１】
この発明は、略円盤状の外刃に内刃を摺接させつつ回転させ、外刃のスリットに進入した髭を内刃でカットするロータリー式電気かみそりに関するものである。
【背景技術】
【０００２】
この種の電気かみそりにおいては、外刃を上下に遊動可能（沈み込み可能）として剃り味を向上させたものが公知である。この場合に、外刃は上下方向だけでなく任意の方向に傾くようにして、外刃を髭剃り面の曲面にならって傾くようにすれば、外刃と髭剃り面との密着性が向上し、剃り味が一層向上する。
【０００３】
【特許文献１】特表平９−５０３４２４
【特許文献２】米国特許第５６２５９５０
【０００４】
このように外刃を上下方向に遊動可能にすると共に任意の方向に傾動可能にするものは特許文献１および２に記載されている。ここには、外刃の外周を囲む皮膚支持リム（外刃リング）を設け、この皮膚支持リムに外刃の外径側へ突出する突部を設け、この突部を外刃ホルダ（外刃枠）側の係合面に回動可能に係合させるものである。すなわち、外刃を囲む皮膚支持リム（外刃リング）を外刃のホルダと外刃との両方に対して揺動可能（pivotable）に保持するものである。この皮膚支持リムは、外刃を強く皮膚に押し付けた時に外刃の外周縁が皮膚に深く沈み込んで過度に深剃りとなったり皮膚を傷めるのを防ぐ機能を有する。
【発明の開示】
【発明が解決しようとする課題】
【０００５】
特許文献１、２のものは外刃の外周を囲む皮膚支持リムの外径側を外刃ホルダに回動可能に係合させたものである。すなわち皮膚支持リムが外刃の中心を通り外刃の上面と平行な軸（Ｋ、Ａ、Ａ１、Ａ２で示されている。）を中心として回動するものである。また外刃は皮膚支持リムに上下動可能に保持され、回転軸が内刃を押上げる一定の力で外刃も押上げられている。
【０００６】
一般に外刃の押上げ圧力は、髭を剃った時に皮膚に残るヒリヒリ感や、深剃りの発生に影響し、この望ましい圧力は個人の好みや皮膚の状態等によって大きく変化するから、一律に設定することは好ましくない。しかし従来のものではこの圧力（外刃の押上げ力）は機種ごとに一定に設定されていたから、必ずしも使用者の好みなどに適合するとは限らないものであった。このため使用者によってこの圧力が強すぎたり、弱すぎるといった不満が生じていた。このため使用感の向上には限界があった。
【０００７】
この発明はこのような事情に鑑みなされたものであり、外刃の押上げ力を使用者の好みに設定可能にして深剃りや皮膚にヒリヒリ感を発生させるおそれをなくし、使用感を向上させることができるロータリー式電気かみそりを提供することを目的とする。
【課題を解決するための手段】
【０００８】
この発明によればこの目的は、モータを内蔵する本体部の上部に装着される外刃枠に略円盤状の外刃を保持し、この外刃の内側に下方から装填される内刃を、前記モータにより回転駆動される駆動軸により外刃に向かって弾性をもって押圧しつつ回転駆動する刃ユニットを備えるロータリー式電気かみそりにおいて、外刃が固定され外刃と一体に上下動自在かつ揺動自在な揺動ケースと、この揺動ケースを復帰ばねを介して押し上げる可動板と、この可動板の高さを変える押上げ機構とを備え、前記押上げ機構によって前記可動板の高さを変化させることにより前記外刃の押上げ力を制御可能にしたことを特徴とするロータリー式電気かみそり、により達成される。
【発明の効果】
【０００９】
上下動自在かつ揺動自在な揺動ケースに外刃を固定し、この揺動ケースを復帰ばねを介して可動板で押上げる一方、この可動板の高さを押上げ機構によって制御可能にしたから、外刃の押上げ力を制御することが可能になる。従って押上げ機構によって外刃の押上げ力を使用者の好みによって適切に設定し、深剃りを防ぎ、皮膚にヒリヒリ感が発生するのを防ぐことができる。
【発明を実施するための最良の形態】
【００１０】
請求項２に係る発明は本発明の好ましい実施態様である。この実施態様のように、外刃の外周を外刃リングで囲み両者を一体的に揺動ケースに固定し、これらをさらに刃受板と共に刃受台に対して上下動可能とすれば、外刃の外周縁が皮膚に深く沈み込んで深剃りとなったり、皮膚にヒリヒリ感を発生させるおそれがない。
【００１１】
また外刃リングおよび外刃を、外刃および内刃の下方を下から覆う揺動ケースの上縁に固定し、この揺動ケースを外刃・内刃の下方に位置する刃受板のケース支持部に摺接して任意方向に揺動可能に保持すれば、これらケース支持部の球面上で揺動ケースは任意方向に揺動する。一方外刃は、駆動軸により上方へ付勢された内刃と、揺動ケースを押し上げる復帰ばねとにより上方へ付勢されるから、外刃リングと外刃は内刃と共に上下動可能である。このため外刃および外刃リングは皮膚の凹凸に滑らかに追従でき、剃り味が向上する。
【００１２】
特に外刃と外刃リングと揺動ケースと刃受板は復帰ばねで上方へ付勢されているので、駆動軸による内刃の上方への付勢力を外刃に対する上向きの付勢力と関係なく自由に設定できる。すなわち内刃と外刃の接触圧と外刃の上向きの復元力（あるいは沈み込み時の弾性力）とを別々に設定できる。このため設計自由度が増大する。
【００１３】
またこの発明では復帰ばねは、刃受台に上下動可能に保持された可動板と揺動ケースとの間に縮装し、可動板の高さを押上げ機構によって調節可能としているので、外刃の押上げ力（上向きの復元力、沈み込み時の弾力性）を使用者の好みによって自由に設定できる。
【００１４】
外刃はその下方に位置する揺動ケースに固定され、この揺動ケースはその下方に位置する刃受板に揺動可能に保持されているので、刃ユニットは外刃の径方向の寸法が大きくならない。すなわちケース支持部は外刃の径方向外側でなく外刃の径内の下方に位置する。このため刃ヘッド部の小型化が図れる。また複数の刃ユニットを有する場合には刃ユニットの間隔を狭くしてヘッドの小型化と使用感の向上が可能になる。
【００１５】
また刃受板は刃受台に対して所定範囲内で上下動可能に保持されているので、外刃上面に下向きの圧力が加わっていない時には、外刃、外刃リングおよび揺動ケースは復帰ばねによって上方へ押し上げられ、刃受板は揺動ケースによって上方へ引き上げられて刃受板の刃受台に対する可動範囲の上限位置に静止する。外刃の上面全面に下向きの圧力が均一に加わると、外刃、外刃リング、揺動ケースおよび刃受板は復帰ばねを圧縮しつつ刃受板の刃受台に対する可動範囲内および揺動ケースと刃受台との上下方向の遊びの範囲内で下降する。このため外刃全体が下方へ沈み込み可能であるから、皮膚に対する圧力が過大になるのを防ぎ使用感を向上させることができる。この時、内刃は駆動軸を圧縮するので、その反発力が内刃を介して外刃に加わる。
【００１６】
揺動ケースの揺動中心、すなわち刃受板のケース支持部が位置する半球面の中心は、外刃の表面中心付近に位置させるのが望ましい（請求項３）。この場合には外刃はその表面中心付近の支点（Ｐ）を中心に揺動するから外刃の揺動が円滑である。
【００１７】
刃受板には上方に向かって開く半球面にほぼ沿って内径方向へのびる球面板部を設け、この刃受板に保持される揺動ケースには刃受板の球面板部の下面に内径側から摺動可能に係合する舌状のフックを設けておくことができる（請求項４）。この場合は駆動軸が外刃を上方に押圧する反力をこのフックで受けるから、外刃の可動範囲を大きくし動きを滑らかにすることができる。
【００１８】
刃受板に設けるケース支持部は半球面上に位置する半径方向の円弧に沿うレール状とすれば、揺動ケースとの摺接部が揺動ケースの回動方向に沿うことになり、揺動ケースの揺動は一層円滑になる（請求項５）。
【００１９】
揺動ケースには、刃受板の球面板部の内径側を通り下方へ突出する円筒部を設け、この円筒部の下端と刃受板との間に揺動ケースを復帰させる復帰ばねとなる円錐コイルばねを装填しておけば、揺動ケースに加わる復帰ばねの復元力が揺動ケースの揺動球面（ケース支持部が乗る球面）よりも下方に加わることになるため、極めて簡単な構成でこの揺動ケースの傾きを戻して正立位置へ復元させる十分な復元力を発生させるのに適する（請求項６）。
【００２０】
揺動ケースには内径側から上方に突出し先端が鉤状に内径側へ折曲した複数のフックを設け、これらのフックが内刃が揺動ケースから上方へ脱出するのを防止しておけば、外刃を揺動ケースから取外して内刃付近を掃除する際に内刃が揺動ケースに保持される。このため内刃を揺動ケースに保持したまま刃先を掃除でき、作業性が良い（請求項７）。
【００２１】
外刃枠には複数の刃ユニットを保持し、各刃ユニットの外刃、外刃リングおよび揺動ケースをそれぞれ独立に上下動自在かつ任意方向に揺動自在とすれば、能率良く髭を剃ることができる（請求項８）。各刃ユニットは径方向に小さいから各外刃の間隔を狭くし、刃ヘッド部の髭剃り面を小さくして刃ヘッド部の小型化が可能であり、使用し易くなる。この場合には複数の刃ユニットに備える刃受台を一体に形成することができる（請求項９）。刃受台を一体成形すれば部品点数が減り、組立・分解が容易になるばかりでなく、構造が簡単になる。
【００２２】
押上げ機構は可動板を押上げて所定の高さに保持できる構造のものであればよく、種々の機構が採用可能である。例えば可動板の下面に上下動可能な押上げ部材を当接させ、この押上げ部材をカム機構などにより上下位置決めするものが考えられる。この場合、押上げ部材の下方に側方から進退動する進退部材を設け、押上げ部材の下面とこの進退部材との接触面をカム面とし、進退部材の進退位置を操作部材によって変化させる構造が可能である（請求項１０）。
【００２３】
進退部材を進退動させる機構は、例えば操作部材により回転される偏心輪を設け、この偏心輪を摺動可能に囲む外輪を進退部材の一端に設けるものが可能である（請求項１１）。
【実施例１】
【００２４】
図１は本発明の一実施例の外観斜視図、図２はその刃ヘッド部の拡大斜視図、図３は３つの刃ユニットを斜上方から見た斜視図、図４はその刃ユニットの分解斜視図、図５は１つの刃ユニットの側断面図、図６は図５を分解した側断面図、図７と図８は外刃と内刃を除いて示す側断面図と分解側断面図である。図９は揺動ケースと刃受板との組合せ状態を示す平面透視図、図１０は各部材を分解して示す平面図である。
【００２５】
図１１〜１４は押上げ機構を説明するための図である。図１１はヘッド部１２を取外した状態を示す平面図、１２はその分解斜視図、図１３は図１１におけるXIII-XIII線断面図、図１４は動作説明図である。この実施例は、基本的には同一出願人の特願２００５−１４５０１３に示されたものの改良であり、この既提案のものと異なるのは、揺動ケース４８を上向きに付勢する円錐ばねを可動板９２に支持し、この可動板９２の高さを押上げ機構９４によって可変とした点である。
【００２６】
図１において符号１０は本体部、１２はその上部に開閉可能または着脱可能に取り付けられた刃ヘッド部である。この刃ヘッド部１２は、外刃１４，後記する揺動ケース４８，刃受板５０などで形成される刃ユニット１６（図３、５参照）を３組内蔵する。３つの刃ユニット１６に対応する３つの外刃１４は正三角形の頂点に位置する。
【００２７】
刃ヘッド部１２は本体部１０に対して上方へ開閉可能または着脱可能な外刃枠１８を持つ。外刃枠１８には外刃１４が突出可能な３つの外刃装着孔２０が形成されている（図２参照）。外刃１４は金属板で作られ、略円盤形のキャップ状である。外刃１４の円形部分には多数のスリット２２（図３，４，５）がほぼ放射状に形成されている。
【００２８】
本体部１０の上面には略三角形の基板２４（図５、１１〜１３参照）が嵌め込まれている。この基板２４の下には別の下基板２５が嵌め込まれている。これらの基板２４、２５からは各外刃１４の中心軸の下方に位置する３本の駆動軸２６が上方に向かって突出している（図５，６参照）。図１１〜１３にはこの駆動軸２６が通る開孔２６Ａが示されている。駆動軸２６は図５に示すように、本体部１０に内蔵する電動モータ（図示せず）により回転駆動される回転軸３０と、この回転軸３０に固定された下ジョイント３２と、この下ジョイント３２に揺動可能に係合する上ジョイント３４と、この上ジョイント３４を上向きに付勢する圧縮コイルばね３６と、これら下ジョイント３２と上ジョイント３４の結合部を包むジョイントキャップ３８とを持つ。
【００２９】
ここに下ジョイント３２の上部は拡径した円筒に軸方向に複数の溝３２ａを形成したものである。上ジョイント３４の下部はこの円筒内に進入し、この進入部の外周に突設した複数の突起３４ａを溝３２ａに内径側から係合させる。コイルばね３６の下部は下ジョイント３２の円筒内に突出する回転軸３０の外周に案内されて円筒の内底面に当接する。コイルばね３６の上部は上ジョイント３４に形成したばね装填室３４ｂの内頂面に当接する。ジョイントキャップ３８は下ジョイント３２の円筒の外周を囲むと共に円筒の下面および開口縁に係合して軸方向の移動が規制される。この結果上ジョイント３４の突起３４ａが溝３２ａから上方へ脱出するのが規制される。なお上ジョイント３４の上端には側面視略球形かつ平面視略四角形の係合頭部３４ｃが形成されている。
【００３０】
４０は内刃であり、この内刃４０は下方に開くカップ状に形成された樹脂製のボス部４２と、このボス部４２を囲んで周方向に等間隔に環状に固定された多数の刃体４４とを持つ。多数の刃体４４は環状に連結したものであってもよい。
【００３１】
前記外刃１４の内面（下面）には図５，６に示すように、径が異なる２つの環状のトラック１４ａ、１４ｂが形成され、内刃４０の刃体４４は上部が二股状に分岐し、これら分岐した部分すなわち２つの小刃４４ａ、４４ｂがそれぞれトラック１４ａ、１４ｂに下方から摺接する。なお外刃１４の中央部には下方に開く係合孔を持つキャップ４６が固着され、この係合孔に内刃４０のボス部４２の上端が係入して、内刃４０の軸振れが防止される。ボス部４２には下方に開く平面視四角形の係合孔４２ａが形成され、ここに前記駆動軸２６の上ジョイント３４に形成した四角球状の係合頭部３４ｃが下から係入する。
【００３２】
４８は揺動ケース、５０は刃受板、９０は環状の刃受台、９２は可動台である。揺動ケース４８は図４〜８に示すように、上方に開く略碗状に形成されて、各刃ユニット１６ごとに別々に分かれている。すなわち３個の揺動ケース４８を持つ。刃受台９０は３つの刃ユニット１６に対応する３つが連結されて一体化されている。
【００３３】
可動板９２は刃受台９０と同様に３つの刃ユニット１６に対応する部分が３つ連結されて一体化されている。この可動板９２は刃受台９０の内周面に係合する下円筒部９２ａと、これに連続して拡径し刃受台９０の上面に当接する上拡径部９２ｂとを持つ。この可動板９２は押上げ機構９４によって高さが可変であるが、この押上げ機構９４については後記する。
【００３４】
刃受台９０および可動板９２は、本体部１０に固定される外刃枠１８に駆動軸２６と同軸となるように保持される。すなわち刃受台９０および可動板９２の中央には固定つまみ５２が貫通し、このつまみ５２には先端が平面視（図９に図５のＡ−Ａ断面が示されている。）で三角形に形成された係合部５２ａが一体に形成あるいは固定されている。この係合部５２ａは、外刃枠１８の中央内面に突設した平面視三角形の柱部１８ａに下方から進入し、この柱部１８ａの側壁に設けた３つの係合孔１８ｂに係合可能である。
【００３５】
すなわちつまみ５２をつかみ、係合部５２ａの三角形を柱部１８ａの三角形に一致させて挿入し、約６０°回転することにより係合部５２ａの三角形の頂点付近を柱部１８ａの係合孔１８ｂに係合させることができる。なお柱部１８ａの中にはコイルばね５４が装填され、このコイルばね５４は係合部５２ａを係合孔１８ｂに係合させた状態で係合部５２ａを下方に押圧し、つまみ５２が柱部１８ａから外れるのを防止する。
【００３６】
つまみ５２の上端には、刃受台９０および可動板９２の中央を下から上に貫通し可動板９２の上面に係合する爪５２ｂが形成され、このつまみ５２の外周には外径方向に突出する３つの突起５２ｃが形成されている（図４，５）。この結果可動板９２は爪５２ｂと突起５２ｃとの間に挟まれた状態でつまみ５２に保持される。また刃受台９０はその外周縁を、外刃枠１８の内面に突設した複数のリブ１８ａと、基板２４に突設した突起２４ａとに挟持することによって固定されている（図５、６）。
【００３７】
このように本体部１０側に保持される刃受台９０には、刃受板５０が上下方向（駆動軸２６と平行な方向）に僅かに遊動可能に保持されている。環状の刃受台９０はその対角位置から円弧状に立ち上がる一対の起立壁９０ａ、９０ａを持ち、これらの起立壁９０ａ、９０ａの外側には下方に向かって開く係合溝９０ｂがそれぞれ２ヶ所ずつ（１つの刃受台９０に対して合計４ヶ所）形成されている（図４、６、８）。
【００３８】
一方刃受板５０は略環状であり、この刃受台９０の起立壁９０ａ、９０ａの外側に僅かに遊動可能に係合する。この刃受板５０の内周面には、刃受台９０の係合溝９０ｂに係合する係合爪５０ａが４ヶ所に突設されている。従って刃受板５０を刃受台９０の起立壁９０ａ、９０ａの外周に組付ける際に係合爪５０ａが係合溝９０ｂに係合し、刃受板５０は刃受台９０から脱落しない。この時刃受板５０は、刃受台９０に対して上下方向（駆動軸２６と平行な方向）に僅かに遊動可能となるように係合爪５０ａの位置と係合溝９０ｂの深さとが設定されている。
【００３９】
刃受板５０の上面には、駆動軸２６の中心線の上方、すなわち外刃１４の中央上面付近の支点Ｐ（図５，７）を中心とする半球面上に位置する複数のケース支持部５８が形成されている（図４，８参照）。すなわちケース受台５０は中心線を挟んで対象な位置から内径方向へのびる平面視弧状かつ球面状の球面板部６０を一対持ち、両球面板部６０の周方向の両縁が上方へ僅かに突出した突条となり、これら合計４つの突条がケース支持部５８となっている。従ってケース支持部５８は、半径方向に沿いかつ球面板部６０の球面上の円弧に沿うものとなる。これらケース支持部５８は外刃１４の径内でその下方に位置する。
【００４０】
前記揺動ケース４８は、刃受板５０に上方から装着されている。その下面は略半球面状に形成され、この略半球面状の面が４つのケース支持部５８に摺動自在に支持される。またこの揺動ケース４８には、刃受板５０の球面板部６０の内径側からこの球面板部６０の下面に係合する舌状のフック６２が形成されている。このフック６２は、各球面板部６０に対して１つずつ、合計で２つ形成される。揺動ケース４８は刃受板５０に上方から挿入され、一方のフック６２を一方の球面板部６０の下面に入れて球面に沿わせて一方に大きく傾けた状態で、他方のフック６２を他方の球面板部６０の下面に入れることによって刃受板５０に装着される。
【００４１】
この状態で、揺動ケース４８は、２つのフック６２によって上方に抜け落ちるのを防止されつつ、ケース支持部５８に上方から摺接しつつ球面上を摺動する。なお揺動ケース４８の下面には揺動ケース４８が周方向に過大に回動するのを規制する突部６６（図４）が形成されている。すなわちこれらの突部６６，６６は刃受板５０の球面板部６０の周方向の縁（ケース支持部５８の周方向外側の縁）に当接して、刃受板５０の周方向の回動を規制するものである。
【００４２】
揺動ケース４８は刃受板５０の球面板部６０の内径側を通り下方へ突出する円筒部６８（図４〜８）を持ち、この円筒部６８の下縁と可動板９２の上拡径部９２ｂとの間には円錐コイルばね７０が装填されている。このコイルばね７０は、揺動ケース４８を垂直位置（図５）に復帰させる復元力を付与する。
【００４３】
また揺動ケース４８の円筒部６８の上縁には上方へ４本のフック７２が突出している。このフック７２は外径方向へ弾性を持って湾曲可能であり、先端が鉤状に内径側に折曲し、この先端は内刃４０のボス部４２の下部外周に形成した環状凸部７４（図５，６）に十分な間隙をもって対向し、内刃４０が揺動ケース４８から脱落するのを防ぐ。
【００４４】
揺動ケース４８の上部開口には外刃１４および外刃リング７６が着脱可能に取付けられる。外刃リング７６は外刃１４の外周に設けたフランジ１４ｃ（図６）に上方から係合して外刃１４の外周を囲み、外刃リング７６の下縁に突設した２本のフック７８を揺動ケース４８の外周（突部６６の外周）に設けた折曲係合溝８０に上方から係合させることにより揺動ケース４８に取付けられる（図４、１０）。
【００４５】
すなわち折曲係合溝８０は上方に開き下部がＬ字状に周方向に折曲している一方、外刃リング７６のフック７８の下端をこの折曲係合溝８０に上方から係入し、外刃リング７６を折曲係合溝８０に沿わせて周方向に回動する。なお外刃１４のフランジ１４ｃと揺動ケース上縁との間には固定リング８２が装着され、外刃１４を外刃リング７６および揺動ケース４８に固定している。
【００４６】
次に押上げ機構９４を図５、６、１１〜１４を用いて説明する。この押上げ機構９４は、前記固定つまみ５２に下方から当接する押上げ部材９４ａを昇降させることにより可動板９２を昇降させ、円錐コイルばね７０の圧縮力（すなわち反発力）を変化させ、外刃１４の押上げ圧力を調整するものである。
【００４７】
押上げ部材９４ａは、基板２４の上面に取付けられたホルダー９４ｂに上下動可能に保持されている。ホルダー９４ｂは基板２４の中央から一側方にのび、先端が半円状に拡がって基板２４の周縁から立上がるフランジ部分に当接している。この半円状の部分には操作部材として回動板９４ｃが垂直なピン９４ｄにより回動可能に保持されている。回動板９４ｂはその一部が本体部１０の側面に突出し、使用者が指先で回動可能である（図１、１１、１３参照）。
【００４８】
前記押上げ部材９４ａは図５、６に示すように、基板２４に設けた開口内で上下動可能であり、その上部はホルダー９４ｂを貫通して上方へ突出し、固定つまみ５２の下面に当接している。なお押上げ部材９４ａの下部はフランジ状に拡径し、ホルダー９４ｂの下面に係合してその脱落が防止される。
【００４９】
押上げ部材９４ａの下面には中心を通る溝９４ｅが形成され、この溝９４ｅと下基板２５上面との間に進退部材９４ｆが往復動可能に装着されている。この進退部材９４ｆの他端は、前記回転板９４ｃの下面に形成した偏心輪９４ｇの外周を囲む外輪９４ｈとなっている（図１２〜１４）。従って回転板９４ｃを回すことによって進退部材９４ｆは押上げ部材９４ａを支点にして僅かに揺動しながら進退動する。
【００５０】
進退部材９４ｆの上面と、押上げ部材９４ａの溝９４ｅ内の上面とには、カム面９４ｉ、９４ｊが形成され、進退部材９４ｆの進退動によって押上げ部材９４ａが昇降する。図１４の（Ａ）と（Ｂ）は回動板９４ｃの回動位置を変化させた状態を示し、（Ｂ）は回動板９４ｃを（Ａ）の位置から角度θ回転した状態を示す。なお図１３でホルダー９４ｂの内面に形成した凹部９４ｋはピン９４ｄを中心にした円弧状であり、ここに回動板９４ｃに突設した突起９４ｌ（図１２）を係合させることにより、回転板９４ｃの回動範囲を規制している。また回動板９４ｃの一部は基板２４のフランジを通り本体１０の側面に臨んでいることは前記した通りである（図１、１１、１３）。
【００５１】
次にこの実施例の動作を説明する。図５の状態、すなわち外刃１４に外力が加わっていない時には、駆動軸２６の上ジョイント３４はコイルばね３６により上方へ付勢されるから、内刃４０，外刃１４が上向きに付勢される。外刃１４のフランジ１４ｃは外刃リング７６，揺動ケース４８を上向きに付勢する。揺動ケース４８のフック６２は刃受板５０の球面板部６０の下面に係合しているから、このフック６２によりは刃ユニット１６が上方へ突出するのが規制され図５の位置に維持される。
【００５２】
なおこの刃受板５０は係合爪５０ａが刃受台９０の係合溝９０ｂに係止し、刃受台９０は突起２４ａとリブ１８ａとに挟持されているので、刃受板５０は上方へ移動しない。駆動軸２６の回転により内刃４０が回転し、外刃１４のスリット２２に入った髭は内刃４０でカットされる。
【００５３】
外刃１４の中央または全面に図５で垂直下向きの外力が加わると、外刃１４は駆動軸２６を圧縮しつつ刃受台９０に対して一定範囲内で下降する。すなわち外刃１４の下降量は、外刃１４のフランジ１４ｃが外刃リング７６に固定されているので、揺動ケース４８は刃受板５０に対する上下方向の遊び範囲で、刃受板５０は刃受台９０に対する可動範囲内でそれぞれ上下動し、この時コイルばね７０を圧縮する。
【００５４】
外刃１４の外周の一部（中央から偏位した位置）に下向きの外力が加わると、外刃１４が傾き、この時外刃リング７６と共に揺動ケース４８が揺動する。すなわち揺動ケース４８の下面が刃受板５０のケース支持部５８上を摺動する。この時外刃１４は外刃１４の上面中央付近の支点Ｐを中心にして円錐コイルばね７０を半径方向に圧縮しつつ揺動する。このため外刃１４は皮膚の凹凸に忠実に追従して傾き、素晴らしい剃り味を得ることができる。
【００５５】
このように外刃１４，揺動ケース４８が傾く時には、駆動軸２６の上ジョイント３４は反対方向に傾く。この状態で駆動軸２６の回転は内刃４０に伝えられ、内刃４０の小刃４０ａ、４０ｂが外刃１４のトラック１４ａ、１４ｂ内面（下面）に摺接しつつ回転し、髭がカットされる。
【００５６】
外刃１４に加わっている外力が無くなると、円錐コイルばね７０により揺動ケース４８は復帰方向に押し戻される。この時駆動軸２６も図４の垂直位置に復帰する。この結果図４の状態に戻る。
【００５７】
円錐コイルばね７０による外刃１４の押上げ力は、押上げ機構９４により調節可能である。すなわち回動板９４ｃを回動すれば進退部材９４ｆが押上げ部材９４ａの溝９４ｅ内を進退動する。このためカム面９４ｉ、９４ｊの摺動によって押上げ部材９４ａが昇降する。カム面９４ｉ、９４ｊは互いに係合可能な斜面で形成され、進退部材９４ｆが溝９４ｅ内に進入することによって押上げ部材９４ａは上昇し、反対に進退部材９４ｆが溝９４ｅから後退（退出）すると押上げ部材９４ａは下降する。
【００５８】
押上げ部材９４ａが上昇するとコイルばね７０が圧縮され、外刃１４の押し下げ力（押し下げ時の復元力）は強くなる。反対に押上げ部材９４ａが下降すると外刃１４の押下げ力は弱くなる。このようにして外刃１４の押下げ力を使用者の好みによって適切に設定することができるから、深剃りやヒリヒリ感の発生を防ぐことができる。
【図面の簡単な説明】
【００５９】
【図１】本発明の一実施例の外観斜視図
【図２】その刃ヘッド部の拡大斜視図
【図３】３つの刃ユニットを斜上方向から見た斜視図
【図４】刃ユニットの分解斜視図
【図５】１つの刃ユニットの側断面図
【図６】図５を分解した側断面図
【図７】外刃と内刃を除いて示す側断面図
【図８】同じく分解側断面図
【図９】揺動ケースと刃受板との組合せ状態を示す平面透視図
【図１０】各部材を分解して示す平面図
【図１１】ヘッド部を取外して押上げ機構を示す図
【図１２】同じく分解斜視図
【図１３】図１１におけるXIII−XIII線断面図
【図１４】動作説明図
【符号の説明】
【００６０】
１０  本体部
１２  ヘッド部
１４  外刃
１６  刃ユニット
１８  外刃枠
２６  駆動軸
４０  内刃
４８  揺動ケース
５０  刃受板
５８  ケース支持部
６０  球面板部
６２  舌状フック
６８  円筒部
７０  円錐コイルばね（復帰ばね）
７２  先端が鉤状のフック
７６  外刃リング
８２  固定リング
９０  刃受台
９２  可動板
９４  押上げ機構
９４ａ  押上げ部材
９４ｂ  ホルダー
９４ｃ  回動板（操作部材）
９４ｆ  進退部材
９４ｉ、９４ｊ  カム面
Ｐ  刃ユニットの揺動中心
【図１】
2007117190.tif 000003
【図２】
2007117190.tif 000004
【図３】
2007117190.tif 000005
【図４】
2007117190.tif 000006
【図５】
2007117190.tif 000007
【図６】
2007117190.tif 000008
【図７】
2007117190.tif 000009
【図８】
2007117190.tif 000010
【図９】
2007117190.tif 000011
【図１０】
2007117190.tif 000012
【図１１】
2007117190.tif 000013
【図１２】
2007117190.tif 000014
【図１３】
2007117190.tif 000015
【図１４】
2007117190.tif 000016